(57)【要約】【課題】本発明は、締めつけ度が適度で、外冠を簡単に取り付け取り外しすることができ、きつすぎたりゆるすぎたりせず、一般の患者に使用することが可能な、義歯構造を提供する。【解決手段】内冠と、外冠とからなる。前記内冠は、凹部と、凸柱とを備え、前記凹部は、前記内冠の頂面に設けられ、前記凸柱は、前記凹部上に設けられるとともに、前記凸柱の頂端は係止ブロックを形成する。前記外冠の内部には、弾性カバーが設けられ、前記弾性カバーは、前記係止ブロックをクランプするために、前記係止ブロックの位置に対応して設けられる。前記外冠を前記内冠に被せた時，前記弾性カバーは、前記係止ブロックを被覆してクランプする。【選択図】図１
2012143560.tif 000002
【特許請求の範囲】
【請求項１】
内冠と、外冠とからなる、義歯構造であって、
前記内冠は、凹部と、凸柱とを備え、
前記凹部は、前記内冠の頂面に設けられ、
前記凸柱は、前記凹部上に設けられるとともに、前記凸柱の頂端は係止ブロックを形成し、
前記外冠の内部には、弾性カバーが設けられ、前記弾性カバーは、前記係止ブロックをクランプするために、前記係止ブロックの位置に対応して設けられ、
前記外冠を前記内冠に被せた時，前記弾性カバーは、前記係止ブロックを被覆してクランプすることを特徴とする、義歯構造。
【請求項２】
前記係止ブロックと前記凸柱の間には、係合溝が設けられることを特徴とする、請求項１に記載の義歯構造。
【請求項３】
前記係止ブロックは、円弧状、或いは、円球状を呈することを特徴とする、請求項２に記載の義歯構造。
【請求項４】
前記弾性カバーの開口の直径は、前記係止ブロックの最大直径より小さいことを特徴とする、請求項３に記載の義歯構造。
【請求項５】
前記凹部は、前記内冠頂面の辺縁に設けられることを特徴とする、請求項４に記載の義歯構造。
【請求項６】
前記外冠内には結合壁が設けられ、前記結合壁は、前記弾性カバーの外周に対応して設けられることを特徴とする、請求項５に記載の義歯構造。
【請求項７】
前記弾性カバーは碗状を呈するとともに、ゴム材であることを特徴とする、請求項６に記載の義歯構造。
【請求項８】
前記係止ブロックは球柱であり、前記弾性カバーは、金属片の弾性キャップであることを特徴とする、請求項６に記載の義歯構造。
【発明の詳細な説明】
【技術分野】
【０００１】
本発明は内冠と外冠を係合させて形成した義歯に関し、特に内冠と外冠に球状キャップの係止構造を設けた義歯に関する。
【背景技術】
【０００２】
歯が破損した時（例えば、歯が腐蝕したり、虫歯による穴が大きすぎたりする時）、咀嚼するのに問題が生じる。従って、詰め物で正常な咀嚼機能を維持させるのが現在最も用いられている方法である。また、内冠と外冠を組み合わせてなる取り外し可能な義歯も新しい主流となりつつある。それは、病気の歯に咀嚼能力を回復させることができるとともに、取り外して歯肉溝の周囲を奇麗に洗浄することができる。
【０００３】
この種の取り外し可能な義歯は、内冠を支柱歯に取り付け，外冠を直接、内冠上に被せ、内冠と外冠の表面間の摩擦力によって固定する、ドイツで開発された方法で、外冠を直接取り外して全体を洗浄することができる。この種の二組をセットにした義歯は、現在一般的に用いられている型式である。しかしながら、この種の義歯の欠点は、外冠をかぶせた時の安定度が悪いことである。外冠と内冠の間の摩擦力を利用して固定するものの、摩擦力が小さい時、外冠は食べ物を咀嚼しているとき、特に粘着性のある食べ物を食べているときに外れやすい。反対に、内冠、外冠間の摩擦力が大きすぎる時、外冠がひっかかって取れなくなる。
【発明の概要】
【発明が解決しようとする課題】
【０００４】
そこで、上述の問題を解決するために、本発明は、締めつけ度が適度で、外冠を簡単に取り付け取り外しすることができ、きつすぎたりゆるすぎたりせず、一般の患者に使用することが可能な、義歯構造を提供することを目的とする。
【課題を解決するための手段】
【０００５】
本発明の義歯構造は、内冠と、外冠とからなる。前記内冠は、凹部と、凸柱とを備え、前記凹部は、前記内冠の頂面に設けられ、前記凸柱は、前記凹部上に設けられるとともに、前記凸柱の頂端は係止ブロックを形成する。前記外冠の内部には、弾性カバーが設けられ、前記弾性カバーは、前記係止ブロックをクランプするために、前記係止ブロックの位置に対応して設けられる。前記外冠を前記内冠に被せた時，前記弾性カバーは、前記係止ブロックを被覆してクランプする。
【発明の効果】
【０００６】
本発明は、弾性カバーと係止ブロックを相互に組み合わせる構造により、使用者が操作する上でより簡単になるとともに、内外冠の間の摩擦力だけを利用して取り付けるわけではなくなるため、きつすぎて外冠が取り外せなくなったり、緩すぎて粘着性の食べ物にくっついてとれてしまったり、取り付けの位置が正確でないといった問題を解決することができる。
【図面の簡単な説明】
【０００７】
【図１】本発明の実施例を示した斜視図である。
【図２】本発明の実施例の内冠を示した斜視図である。
【図３】本発明の実施例の外冠を示した斜視図である。
【図４】本発明の実施例の外冠と弾性カバーの結合を示した斜視図である。
【図５】本発明の実施例を示した断面図である。
【図６】本発明の実施例の係止ブロックが円球状を呈した内冠を示した斜視図である。
【発明を実施するための形態】
【０００８】
図１から図５を参照する。本発明による義歯構造は、内冠１０と外冠２０とからなる。内冠１０は、凹部１１と凸柱１２とを備える。凹部１１は、内冠の頂面に設けられる。凸柱１２は、凹部１１上に設けられ、凸柱１２の頂端は係止ブロック１２１を形成する。外冠２０内には弾性カバー２１が設けられ、弾性カバー２１は、係止ブロック１２１を被覆してクランプするために、係止ブロック１２１の位置に対応して設けられる。外冠２０を内冠１０の外に被せた時、弾性カバー２１は、係止ブロック１２１を被覆してクランプする。
【０００９】
弾性カバー２１の弾性力を利用して、係止ブロック１２１をクランプするため、外冠２０を内冠１０へ押すと、弾性カバー２１が係止ブロック１２１を被覆し、外冠２０と内冠１０を結合する目的を達成することができる。外冠２０を取り外したい時は、外冠２０を上に引っ張り上げるだけで、弾性カバー２１は、係止ブロック１２１と分離され、外冠２０を取り外すことができる。このように、弾性カバー２１と係止ブロック１２１を相互に組み合わせる構造により、内冠１０と外冠２０の間の摩擦力だけを利用して結合させるわけではなくなるため、従来はきつすぎて取れなくなったり、取り付けにくかったり、粘着性の食べ物にくっついて取れてしまう等の問題を解決することができる。
【００１０】
また、係止ブロック１２１と凸柱１２の間には、係合溝１３が設けられ、係合溝１３によって、弾性カバー２１の結合を補助することができる。弾性カバー２１を係止ブロック１２１に結合する時、弾性カバー２１の開口端の周囲を係合溝１３に進入させることで、弾性カバー２１と係止ブロック１２１の結合の安定度を向上させ、外冠２０を取れにくくする。
【００１１】
また、図５に示すように、係止ブロック１２１は円弧状を呈し、或いは、図６に示すように、円球状を呈し、円球状の係止ブロック１２１と凸柱１２の間は、直径の大きさに差があるため、係合溝１３を形成する。それにより、弾性カバー２１は、係止ブロック１２１の上端から下に向かって係止ブロック１２１を被覆することができる。もちろん、弾性カバー２１は、係止ブロック１２１の外形に合わせて調整することができる。また、弾性カバー２１と係止ブロック１２１の結合を増強させるために、弾性カバー２１の開口の直径は、係止ブロック１２１の最大直径より小さくすることができ、それにより、弾性カバー２１と係止ブロック１２１の結合を更にきつくすることができる。当然のことながら、係止ブロック１２１は、図示していないその他の形状にすることができ、それらはいずれも係止ブロック１２１と同じ効果をもつ部材である。
【００１２】
また、図２に示すように、凹部１１は、内冠１０頂面の辺縁に設けられ、それにより、操作上の利便性が増す。また、図４と図５に示すように、本実施例は、さらに、外冠２０の内側に、結合壁２２を設けることができる。結合壁２２は、弾性カバー２１に対応して設けられ、弾性カバー２１を粘着させるのに必要な壁面となり、それにより、弾性カバー２１を外冠２０の内側に固定して貼り合わせることができ、複数回の抜き差しに耐えられるようになり、外冠２０から取れにくくなる。
【００１３】
また、弾性カバー２１は、ゴム材であるとともに、図に示すように係止ブロック１２１の外形に対応し，碗状を呈する。それにより、更に優れたクランプ力を備えることができる。或いは、係止ブロック１２１は球柱であり、弾性カバー２１は、係止ブロック１２１に対応する金属片の弾性キャップとなる。
【符号の説明】
【００１４】
１０        内冠
１１        凹部
１２        凸柱
１２１      係止ブロック
１３        係合溝
２０        外冠
２１        弾性カバー
２２        結合壁
【図１】
2012143560.tif 000003
【図２】
2012143560.tif 000004
【図３】
2012143560.tif 000005
【図４】
2012143560.tif 000006
【図５】
2012143560.tif 000007
【図６】
2012143560.tif 000008
【外国語明細書】
TITLE:  STRUCTURE OF ARTIFICIAL TOOTH
(a) Technical
Field of the Invention
The present invention generally
relates to an artificial tooth that comprises internal crown and external crown
fit to each other, and more particularly to an artificial tooth that comprises
internal and external crowns between which mateable
ball and socket retention structures is formed.
(b)
Description of the Prior Art
When
a tooth is damaged, such as being corroded or forming a large cavity,
mastication function of the tooth is impaired.  An artificial crown is commonly used to
maintain or restore the normal function of mastication.  Further, a main stream of artificial
tooth is a prosthetic device formed of a combination of internal and external
crown members, which effectively restores the mastication function of the
damaged tooth and can be removed for completely cleaning the circumference of
the tooth neck.
Such
a removable artificial tooth is structured by cementing an internal crown
member to an abutment tooth and then fitting an external crown member to the
internal crown.  The frictional
force induced between the internal and external crown members fixes them
together.  This was the design of
the original German manufacturer. 
The external crown can be removed for throughout cleaning.  This type of dual-crown artificial tooth
is one of the most commonly used prosthetic devices.  However, such an artificial tooth
suffers poor mechanical stability between the mutually-fit internal and
external crowns.  Since the external
crown and the internal crown are fixed together by frictional force, when the
frictional force is insufficient, the external crown may be unexpectedly
detached due to chewing food, especially sticky food stuffs.  On the other hand, when the frictional
force between the internal and external crowns is excessive, the removal of the
external crown becomes extremely difficult or even impossible.
SUMMARY
OF THE INVENTION
The
present invention aims to overcome such a problem by making moderate tightness
between the internal and external crowns so as to allow easy and efficient
removal of the external crown and eliminate any potential problems caused by
under- or over-tight engagement between the crowns and thereby being good for
use by general dental patients.
The present invention provides an
artificial tooth, which comprises an internal crown member and an external
crown member.  The internal crown
member comprises a recess and a peg. 
The recess is formed in a top surface of the internal crown member.  The peg is formed in the recess.  The peg has a top end forming a
retention block.  The external crown
member forms a resilient cap.  The resilient
cap is formed at a location corresponding to the retention block and can be fit
over the retention block to form clamping engagement therebetween.  When the external crown member is fit
over the internal crown member, the resilient cap encloses and clamps the
retention block.
Through the mutually engageable arrangement between the resilient cap and the
retention block according to the present invention, a user may use the device
easily.  Since the engagement is not
just realized through frictional force between the internal and external crown
members, there will be no such problems of being hard to remove the external
crown member due to excessive tightness, or unexpected removal due to chewing
sticky foodstuffs or incorrect positioning in installing the device.
The foregoing objectives and
summary provide only a brief introduction to the present invention.  To fully appreciate these and other
objects of the present invention as well as the invention itself, all of which
will become apparent to those skilled in the art, the following detailed
description of the invention and the claims should be read in conjunction with
the accompanying drawings. 
Throughout the specification and drawings identical reference numerals
refer to identical or similar parts.
Many other advantages and
features of the present invention will become manifest to those versed in the
art upon making reference to the detailed description and the accompanying
sheets of drawings in which a preferred structural embodiment incorporating the
principles of the present invention is shown by way of illustrative example.
BRIEF
DESCRIPTION OF THE DRAWINGS
FIG. 1 is a perspective
view of an embodiment according to the present invention.
FIG. 2 is a perspective view of an internal crown member according to the
present invention.
FIG. 3 is a perspective view of
an external crown member according to the present invention.
FIG. 4 is a perspective view
demonstrating coupling between the external crown member and the resilient cap
according to the present invention.
FIG. 5 is a cross-sectional view
of the present invention.
FIG. 6 is a perspective view
showing an internal crown member according to the present invention, wherein a retention block is of a spherical form.
DETAILED
DESCRIPTION OF THE PREFERRED EMBODIMENTS
The
following descriptions are exemplary embodiments only, and are not intended to limit the scope, applicability
or configuration of the invention in any way.  Rather, the following description
provides a convenient illustration for implementing exemplary embodiments of
the invention.  Various changes to
the described embodiments may be made in the function and arrangement of the
elements described without departing from the scope of the invention as set
forth in the appended claims.
Referring to FIGS. 1-5, an
artificial tooth constructed according to an embodiment of the present
invention comprises an internal crown member 10 and an external crown member
20.  The internal crown member 10
forms a recess 11 and a peg 12.  The
recess 11 is formed in a top surface of the internal crown member.  The peg 12 is formed in the recess
11.  The peg 12 has a top end
forming a retention block 121.  The
external crown member 20 forms therein a resilient cap 21, and the resilient
cap 21 is set at a location corresponding to the retention block 121 to be fit
to the retention block 121 to form clamping engagement therebetween.  When the external crown member 20 is fit
over the internal crown member 10, the resilient cap 21 encloses and clamps the
retention block 121.
The resilient cap 21 provides a
resiliency for stably clamping the retention block 121, whereby when the
external crown member 20 is pushed toward the internal crown member 10, the
resilient cap 21 is fit over and encloses the retention block 121 to realize
stable engagement between the external crown member 20 and the internal crown
member 10.  To remove the external
crown member 20, the external crown member 20 is simply lifted upward to
separate the resilient cap 21 from the retention block 121 and then the
external crown member 20 is removed. 
Installation of the artificial tooth by means of the mutually engageable arrangement between the resilient cap 21 and the
retention block 121, rather than simply counting on the frictional force
induced between the internal crown member 10 and the external crown member 20,
helps overcoming the problems of excessive tightness, which leads to difficult
removal or installation, and being easy to remove by sticky foodstuffs.
Further, the retention block 121
and the peg 12 may form therebetween a retention
groove 13, which assists securely mounting of the resilient cap 21.  When the resilient cap 21 is fit to the
retention block 121, a circumference of an opening of the resilient cap 21 is
fit into the retention groove 13 to improve the engagement stability between
the resilient cap 21 and the retention block 121 so as to more securely hold
the external crown member 20 in
position against detachment.
The retention block 121 can be
made in a curved form as shown in FIG. 5, or a spherical or ball form as shown
in FIG. 6.  The spherical retention
block 121 and the peg 12 forms a retention groove 13 due to the difference of
diameters of the two so that the resilient cap 21 can be put, from the upper
side of the retention block 121 to the lower side, to fit over the retention
block 121.  It is apparent that the
resilient cap 21 must be sized and shaped according to the configuration of the
retention block 121.  Further, to
improve the engagement between the resilient cap 21 and the retention block
121, the diameter of the opening of the resilient cap 21 can be made smaller
than an outside diameter of the retention block 121 so as to ensure tight
engagement between the resilient cap 21 and the retention block 121.  It is certain that the retention block
121 can be of other configurations that are not shown herein and those are
considered equivalents of the retention block 121.
Further, as shown in FIG. 2, the
recess 11 is formed at an edge of the top surface of the internal crown member
10.  This facilitates the
convenience of operation.  Also
referring to FIGS. 4 and 5, in an embodiment of the present invention, the
external crown member 20 forms therein a coupling wall 22, which is formed to
correspond to the resilient cap 21 in
order to serve as a wall to which the resilient cap 21 can be bonded, whereby
the resilient cap 21 is more securely mounted inside the external crown member
20 to endure repeated removal and insertion without being easily detached from
the external crown member 20.
Further, the resilient cap 21 can
be made of a rubber material and formed as a bowl like shape to correspond the
configuration of the retention block 121, thereby providing excellent retention
force.  Alternatively, the retention
block 121 is of a spherical shape and the resilient cap 21 is a resilient cap
made of a metal plate to correspond in shape to the retention block 121.
It will be understood that each
of the elements described above, or two or more together may also find a useful
application in other types of methods differing from the type described above.
While certain novel features of
this invention have been shown and described and are pointed out in the annexed
claim, it is not intended to be limited to the details above, since it will be
understood that various omissions, modifications, substitutions and changes in
the forms and details of the device illustrated and in its operation can be
made by those skilled in the art without departing in any way from the spirit
of the present invention.
I CLAIM:
1.    An
artificial tooth, comprising:
an internal crown
member, which comprises:
a recess, which is
formed in a top surface of the internal crown member, and
a peg, which is
formed in the recess and has a top end forming a retention block; and
an external crown member, which forms therein a resilient cap, the
resilient cap being formed at a location corresponding to the retention block,
the resilient cap being fit over the retention block to form clamping
engagement therebetween;
wherein when the
external crown member is fit over the internal crown member, the resilient cap
encloses and clamps the retention bloc.
2.    The
artificial tooth according to claim 1, wherein the
retention block and the peg comprises a retention groove formed therebetween.
3.    The
artificial tooth according to claim 2, wherein the
retention block is of a curved shape or a spherical shape.
4.    The
artificial tooth according to claim 3, wherein the
resilient cap has an opening that has a diameter smaller than an outside
diameter of the retention block.
5.    The
artificial tooth according to claim 4, wherein the
recess is formed at an edge of the top surface of the internal crown member.
6.    The
artificial tooth according to claim 5, wherein the
external crown member forms a coupling wall therein, the coupling wall being
formed to correspond to an outer circumference of the resilient cap.
7.    The
artificial tooth according to claim 6, wherein the
resilient cap is of a bowl shape and is made of a rubber material.
8.    The
artificial tooth according to claim 6, wherein the
retention block is spherical and the resilient cap is a resilient cap made of
metal plate.
ABSTRACT
OF THE DISCLOSURE
An artificial tooth includes an internal crown member and an external
crown member.  The internal crown
member includes a recess and a peg. 
The recess is formed in a top surface of the internal crown member.  The peg is formed in the recess.  The peg has a top end forming a
retention block.  The external crown
member forms a resilient cap.  The
resilient cap is formed at a location corresponding to the retention block and
can be fit over the retention block to form clamping engagement therebetween. 
When the external crown member is fit over the internal crown member,
the resilient cap encloses and clamps the retention block.
【図１】
2012143560.tif 000009
【図２】
2012143560.tif 000010
【図３】
2012143560.tif 000011
【図４】
2012143560.tif 000012
【図５】
2012143560.tif 000013
【図６】
2012143560.tif 000014